(57)【要約】【課題】ベント管の清掃を効率よく行なえるベント管除染装置を提供する。【解決手段】ベント管１０にその外周面を周方向に取り囲むように着脱可能な支持環１４と、支持環１４の全周にわたって設けられ且つベント管１０外周面に柔軟に密着し得る払拭材１５と、支持環１４に下端部を連結した操作棒１６とを備え、ベント管１０の一部が水に没した状態で該ベント管１０に装着した支持環１４を、水面上から操作棒１６の上端部を押し引きして昇降させ、ベント管１０の水没部分の外周面を払拭材１５で清掃する。【選択図】        図１
2004219357.tif 000002
【特許請求の範囲】
【請求項１】
上下に延びるベント管にその外周面を周方向に取り囲むように着脱可能な支持環と、該支持環の全周にわたって設けられ且つベント管外周面に柔軟に密着し得る払拭材と、前記の支持環に下端部を連結した操作棒とを備えてなることを特徴とするベント管除染装置。
【請求項２】
操作棒をテレスコピック状に伸縮可能に構成した請求項１に記載のベント管除染装置。
【請求項３】
上下に延びるベント管にその外周面を周方向に取り囲むように着脱可能な支持環と、該支持環の全周にわたって設けられ且つベント管外周面に柔軟に密着し得る払拭材と、前記の支持環に装着した錘及び中空状の浮体と、該浮体の内部に空気圧を付与し得る空気供給源とを備えてなることを特徴とするベント管除染装置。
【請求項４】
上下に延びるベント管にその内周面全周に対峙し得る支持環と、該支持環の全周にわたって設けられ且つベント管内周面に柔軟に密着し得る払拭材と、前記の支持環に装着した錘及び中空状の浮体と、該浮体の内部に空気圧を付与し得る空気供給源とを備えてなることを特徴とするベント管除染装置。
【発明の詳細な説明】
【０００１】
【発明の属する技術分野】
本発明はベント管除染装置に関するものである。
【０００２】
【従来の技術】
図１１は原子炉格納容器の一例を示すもので、この原子炉格納容器は、基礎１に立設した中空構造の格納容器本体２と、該格納容器本体２の内方に位置するように基礎１に立設され且つ上部に原子炉圧力容器３を支持するペデスタル４と、格納容器本体２の内周面の上下方向中間部分からペデスタル４の外周面に向かって略水平に延びるダイヤフラムフロア５と、格納容器本体２の上端開口部を閉止するトップヘッド６とを備えている。
【０００３】
ダイヤフラムフロア５の上面、格納容器本体２の内周面、及びトップヘッド６の下面により囲まれる空間であるドライウエル７には、原子炉圧力容器３に接続した主蒸気管５１や種々の機器が配置されている。
【０００４】
更に、基礎１の上面、格納容器本体２の内周面、及びダイヤフラムフロア５の下面により囲まれる空間であるサプレッションチェンバ８には、水９が貯留されている。
【０００５】
サプレッションチェンバ８内部には、上端部がダイヤフラムフロア５を貫通し且つ下端部が水９に没するように垂直に延びる多数のベント管１０と、中間部がダイヤフラムフロア５を貫通し且つ下端部が前記の水９に没してサプレッションチェンバ８内底部の至近まで垂直に延びる主蒸気逃し配管５２と、該主蒸気逃し配管５２の下端部に設けたクエンチャ１１と、ダイヤフラムフロア５を基礎１に支持するコラムサポート１２と、ベント管１０の中間部をペデスタル４外周面に締結し且つ隣接するベント管１０下端部を相互に締結するブレーシング１３などが存在している。
【０００６】
主蒸気逃し配管５２の上端部は、主蒸気管５１に安全弁５３を介して接続されており、当該安全弁５３が作動したときに蒸気を水９の中へ導き、ドライウエル７の圧力上昇を抑制するようになっている。
【０００７】
また、サプレッションチェンバ８の水９は、種々の機器の水源にも利用される。
【０００８】
なお、図１１において、符号４５，４６，４７はエアロックハッチを表している。
【０００９】
これらのエアロックハッチ４５，４６，４７は通常は閉止され、定期検査時にこれらを開放することにより、格納容器外部からサプレッションチェンバ８及びドライウエル７への通行ができるようになっている。
【００１０】
ベント管１０の外周面と内周面は、防錆効果の高い無機ジンクリッチ系塗料、及び耐水性に優れたエポキシ樹脂系塗料によって塗装されているが、塗膜の劣化に起因した腐食を防止するために、所定期間ごとに再塗装工事が実施されている。
【００１１】
従来、再塗装工事を実施するにあたっては、サプレッションチェンバ８に貯留されている水９を、ポンプにより外部へ移送した後、防護服を着用した作業者がサプレッションチェンバ８の中に入って、チェンバ内壁面に対する高圧水洗浄を行なったうえ、当該チェンバ内壁面を、ブラシ、スポンジ、ウエスなどの柔軟性を有する払拭材で清掃し、内壁面に付着していた酸化鉄を主成分とするクラッドを取り除いている（例えば、特許文献１参照）。
【００１２】
このような除染作業が完了してから、グリッドブラストによる研掃、塗料の吹き付けなどを順に行ない、ベント管１０の腐食を防止する塗膜を形成させる。
【００１３】
【特許文献１】
特開平１１−２５８３９３号公報（第２頁）
【００１４】
【発明が解決しようとする課題】
ところが、クラッドは放射性核種を含んでいるので、作業者がサプレッションチェンバ８内に滞在できる時間が制限される。
【００１５】
このため、ベント管１０やコラムサポート１２が林立しているサプレッションチェンバ８内に効率よく足場を架設することは困難である。
【００１６】
また、ベント管１０内部への足場の架設は、実質的に不可能であり、ベント管１０の内周面に対する保守を行なえない。
【００１７】
更に、クラッドは、水９の移送により空気に触れながら乾燥する過程で、強固にベント管１０に付着してしまう。
【００１８】
本発明は上述した実情に鑑みてなしたもので、ベント管の除染作業を効率よく行なえるようにすることを目的としている。
【００１９】
【課題を解決するための手段】
上記目的を達成するため、本発明の請求項１に記載のベント管除染装置では、上下に延びるベント管にその外周面を周方向に取り囲むように着脱可能な支持環と、該支持環の全周にわたって設けられ且つベント管外周面に柔軟に密着し得る払拭材と、前記の支持環に下端部を連結した操作棒とを備えている。
【００２０】
本発明の請求項２に記載のベント管除染装置では、操作棒をテレスコピック状に伸縮可能に構成している。
【００２１】
本発明の請求項３に記載のベント管除染装置では、上下に延びるベント管にその外周面を周方向に取り囲むように着脱可能な支持環と、該支持環の全周にわたって設けられ且つベント管外周面に柔軟に密着し得る払拭材と、前記の支持環に装着した錘及び中空状の浮体と、該浮体の内部に空気圧を付与し得る空気供給源とを備えている。
【００２２】
本発明の請求項４に記載のベント管除染装置では、上下に延びるベント管にその内周面全周に対峙し得る支持環と、該支持環の全周にわたって設けられ且つベント管内周面に柔軟に密着し得る払拭材と、前記の支持環に装着した錘及び中空状の浮体と、該浮体の内部に空気圧を付与し得る空気供給源とを備えている。
【００２３】
本発明の請求項１に記載のベント管除染装置においては、ベント管の一部が水に没した状態で当該ベント管に支持環を装着し、水面上から操作棒の上端部を押し引きして支持環を昇降させ、ベント管の水没部分の外周面を払拭材で清掃する。
【００２４】
本発明の請求項２に記載のベント管除染装置においては、ベント管の水没位置に応じて、操作棒の長さを調整する。
【００２５】
本発明の請求項３に記載のベント管除染装置においては、ベント管の一部が水に没した状態で当該ベント管に支持環を装着し、空気供給源から浮体内部への空気圧の付与及びその解放により支持環を昇降させ、ベント管の水没部分の外周面を払拭材で清掃する。
【００２６】
本発明の請求項４に記載のベント管除染装置においては、ベント管の一部が水に没した状態で当該ベント管に支持環を装着し、空気供給源から浮体内部への空気圧の付与及びその解放により支持環を昇降させ、ベント管の水没部分の内周面を払拭材で清掃する。
【００２７】
【発明の実施の形態】
以下、本発明の実施の形態を、図示例とともに説明する。
【００２８】
図１乃至図５は本発明のベント管除染装置の実施の形態の第１の例を示すものであり、図中、図１１と同一の符号を付したものは同一物を表している。
【００２９】
このベント管除染装置は、上下に延びるベント管１０にその外周面を周方向に取り囲むように設けた着脱可能な支持環１４と、該支持環１４の全周にわたって設けられ且つベント管１０の外周面に柔軟に密着し得る払拭材１５と、前記の支持環１４に下端部を連結した操作棒１６とを備えている。
【００３０】
支持環１４は、ベント管１０の外周面を周方向に取り囲み得る半環状に帯鋼で形成された２個一対の支持環本体１７，１８と、該支持環本体１７，１８の一側端部を常時連結する蝶番１９と、支持環本体１７，１８の他側端部を連結可能な締結用具２０とで構成されている。
【００３１】
締結用具２０は、一方の支持環本体１７に基部が固着され且つ蝶ナットが螺合可能なスタッドボルト２１と、他方の支持環本体１８の端部に穿設されて該支持環本体１８の周方向へ延びる長孔２２とで構成されている（図４参照）。
【００３２】
そして、この長孔２２にスタッドボルト２１を挿通した状態になるように、支持環本体１７，１８の他端部を重ね合わせて、重ね代を適宜に設定したうえ、蝶ナットを締め付けることにより、ベント管１０に対して支持環１４を装置する。
【００３３】
支持環本体１７，１８の周方向の中間部分の外側面には、操作棒１６の先端部を連結し得るブラケット２３が設けられている。
【００３４】
更に、支持環本体１７，１８には、その周方向に略等間隔で複数の蝶ナット付ボルト４８が挿通されており、当該ボルト４８によって払拭材１５を支持環本体１７，１８に取り付けている（図３参照）。
【００３５】
払拭材１５には、所要の幅を有するスポンジを使用し、支持環本体１７，１８の内周面に沿って延び且つベント管１０の外周面に柔軟に密着し得るように形成する。
【００３６】
操作棒１６は、テレスコピック状に伸縮可能に構成され、その先端部が、前記の支持環本体１７，１８のブラケット２３にボルト締結されるようになっている。
【００３７】
図１乃至図５に示すベント管除染装置においては、ベント管１０の一部が水に没した状態で、ベント管１０を支持する構造物に架設した足場上に作業者が降り、払拭材１５を取り付けた支持環１４を除染すべきベント管１０に装着した後、図１０のＡ部に示すように、作業者が操作棒１６の上端部を水面上から押し引きして支持環１４を昇降させ、ベント管１０の水没部分の外周面をそれに密着している払拭材１５で清掃する。
【００３８】
また、操作棒１６の長さを適宜調整することにより、ベント管１０の外周面を広範囲にわたって清掃する。
【００３９】
このように、図１乃至図５に示すベント管除染装置では、ベント管１０の水に没している部分に、払拭材１５を擦りつけるので、ベント管１０に付着しているクラッドを容易に取り除くことができ且つ当該クラッドが飛散せずに水中に沈降するので、ベント管１０の除染作業を効率よく行なえる。
【００４０】
更に、操作棒１６により支持環１４を昇降させるので、複雑な足場を架設する必要がなく、工期の短縮を図ることが可能になる。
【００４１】
図６及び図７は本発明のベント管除染装置の実施の形態の第２の例を示すものであり、図中、図１乃至図５と同一の符号を付したものは同一物を表している。
【００４２】
このベント管除染装置は、上下に延びるベント管１０にその外周面を周方向に取り囲むように設けた着脱可能な支持環２４と、該支持環２４の全周にわたって設けられ且つベント管１０外周面に柔軟に密着し得る払拭材１５と、前記の支持環２４に装着した錘２５、及び複数の浮体２６と、該浮体２６の内部に空気圧を付与し得る空気供給源２７とを備えている。
【００４３】
支持環２４は、先に述べた支持環１４（図１乃至図５参照）と同様に、支持環本体１７，１８、蝶番１９、締結用具２０などによって構成されている。
【００４４】
更に、支持環本体１７，１８の外周面には、前記の錘２５及び浮体２６を装着するための複数のブラケット２８が、周方向に略等間隔に設けられている。
【００４５】
錘２５は、足場上でも取り扱いが容易であるように小分けした重量物（例えば砂袋）を、前記のブラケット２８にロープ２９を介して締結したもので、支持環２４の全周にわたって略均一な下向き荷重がかかるように装着している。
【００４６】
浮体２６は、中空状で内部に空気圧を付与すると略球形に膨らむもので、前記のブラケット２８にロープ３０を介して装着されており、空気供給源２７に連通し且つベント管１０を周方向へ取り囲むように延びるヘッダ３１、及び該ヘッダ３１から分岐するホース３２を介して空気圧が付与される。
【００４７】
図６及び図７に示すベント管除染装置においては、ベント管１０の一部が水に没した状態で、ベント管１０を支持する構造物に架設した足場上に作業者が降り、図１０のＢ部に示すように、払拭材１５を取り付けた支持環２４を除染すべきベント管１０に装着する。
【００４８】
その後、空気供給源２７からヘッダ３１及びホース３２を介して各浮体２６の内部へ空気圧を付与し、浮体２６の浮力により支持環２４を上昇させ、あるいは、空気圧を解放して、浮体２６の浮力に抗する錘２５の重量により支持環２４を下降させる。
【００４９】
上記の操作を行うことで、支持環２４を昇降させ、ベント管１０の水没部分の外周面をそれに密着している払拭材１５で清掃する。
【００５０】
このように、図６及び図７に示すベント管除染装置では、ベント管１０の水に没している部分に、払拭材１５を擦りつけるので、ベント管１０に付着しているクラッドを容易に取り除くことができ且つ当該クラッドが飛散せずに水中に沈降するので、ベント管１０の除染作業を効率よく行なえる。
【００５１】
更に、浮体２６と錘２５によって支持環２４を昇降させるので、複雑な足場を架設する必要がなく、工期の短縮を図ることが可能になる。
【００５２】
図８及び図９は本発明のベント管除染装置の実施の形態の第３の例を示すものであり、図中、図６及び図７と同一の符号を付したものは同一物を表している。
【００５３】
このベント管除染装置は、上下に延びるベント管１０にその内周面全周に対峙し得る支持環３３と、該支持環３３の全周にわたって設けられ且つベント管１０内周面に柔軟に密着し得る払拭材３４と、前記の支持環３３に装着した錘３５、及び単一の浮体３６と、該浮体３６の内部に空気圧を付与し得る空気供給源２７とを備えている。
【００５４】
支持環３３は、柔軟性を有するリング状の中空体で、内部に空気圧を付与するとリング状に膨らみ、ベント管１０の内周面に対峙し得る外周面を形成する。
【００５５】
また、払拭材３４を着脱可能に貼付し得るように、前記の外周面に図示しない接着部材（例えば面ファスナ）を設けている。
【００５６】
支持環３３の上縁部分には、浮体３６を装着するために、周方向へ略等間隔に３個のロープ取付具３７が設けられ、支持環３３の下縁部分には、錘３５を装着するために、周方向へ略等間隔に３個のロープ取付具３８が設けられている。
【００５７】
また、支持環３３には、空気供給源２７に連通するホース４１を介して空気圧が付与されるようになっている。
【００５８】
払拭材３４には、伸縮性を有するスポンジを使用し、その裏面に、支持環３３の外周面に対して着脱可能な接着部材（例えば面ファスナ）を設けている。
【００５９】
すなわち、該払拭材３４を装着した支持環３３をベント管１０内部に投入して、支持環３３の内部に空気圧を付与すると、当該支持環３３が膨らんで、ベント管１０の内周面に払拭材３４が柔軟に密着する。
【００６０】
錘３５は、重量物を前記のロープ取付具３８にロープ３９を介して締結したもので、支持環３３に下向き荷重がかかるように装着している。
【００６１】
浮体３６は、中空状で内部に空気圧を付与すると略球形に膨らむもので、前記のロープ取付具３７にロープ４０によって装着され、空気供給源２７に連通するホース４２を介して空気圧が付与されるようになっている。
【００６２】
４３はガイドロープであり、ロープ取付具３７を介して支持環３３に連結されている。
【００６３】
図８及び図９に示すベント管除染装置においては、ベント管１０の一部が水に没した状態で、ベント管１０の上部を支持するダイヤフラムフロア５上に作業者が降り、図９に示すように払拭材３４が取り付けられ且つ収縮状態にされた支持環３３、その他の一式を、除染すべきベント管１０頂部の開口４４（図１０参照）から当該ベント管１０の内部へ投入する。
【００６４】
その後、空気供給源２７からホース４１を介して支持環３３の内部へ空気圧を付与することによって、図１０のＣ部に示すように、支持環３３をベント管１０の内部で膨らます。
【００６５】
更に、空気供給源２７からホース４２を介して浮体３６の内部へ空気圧を付与し、浮体３６の浮力により支持環３３を上昇させ、あるいは、空気圧を解放して、浮体３６の浮力に抗する錘３５の重量により支持環３３を下降させる。
【００６６】
上記の操作を行うことで、支持環３３を昇降させ、ベント管１０の水没部分の内周面をそれに密着している払拭材３４で清掃する。
【００６７】
このように、図８及び図９に示すベント管除染装置では、ベント管１０の水に没している部分に、払拭材３４を擦りつけるので、ベント管１０に付着しているクラッドを容易に取り除くことができ且つ当該クラッドが飛散せずに水中に沈降するので、ベント管１０の除染作業を効率よく行なえる。
【００６８】
更に、浮体３６と錘３５によって支持環３３を昇降させるので、複雑な足場を架設する必要がなく、工期の短縮を図ることが可能になる。
【００６９】
なお、本発明のベント管除染装置は上述した実施の形態のみに限定されるものではなく、スポンジに代えてブラシや布を払拭材として用いるようにすること、その他、本発明の要旨を逸脱しない範囲内において、種々変更を加え得ることは勿論である。
【００７０】
【発明の効果】
以上述べたように、本発明のベント管除染装置によれば、下記のような種々の優れた効果を奏し得る。
【００７１】
（１）本発明の請求項１に記載のベント管除染装置においては、ベント管の一部が水に没した状態で当該ベント管の外部に装着した支持環を、水面上から操作棒の上端部を押し引きして昇降させるので、ベント管の水没部分の外周面の清掃作業を水面上から行なうことができる。
【００７２】
（２）本発明の請求項２に記載のベント管除染装置においては、ベント管の水没位置に応じて、操作棒の長さを調整することができる。
【００７３】
（３）本発明の請求項３に記載のベント管除染装置においては、ベント管の一部が水に没した状態で当該ベント管の外部に装着した支持環を、空気供給源から浮体内部への空気圧の付与及びその解放により昇降させるので、ベント管の水没部分の外周面の清掃作業を遠隔場所から行なうことができる。
【００７４】
（４）本発明の請求項４に記載のベント管除染装置においては、ベント管の一部が水に没した状態で当該ベント管の内部に装着した支持環を、空気供給源から浮体内部への空気圧の付与及びその解放により昇降させるので、ベント管の水没部分の内周面の清掃作業を遠隔場所から行なうことができる。
【００７５】
（５）本発明の各請求項に記載のベント管除染装置のいずれにおいても、払拭材をベント管の水没部分に擦りつけるので、ベント管に付着しているクラッドを容易に取り除くことができ且つ当該クラッドが飛散せずに水中に沈降するので、ベント管の除染作業を効率よく行なえる。
【００７６】
（６）本発明の各請求項に記載のベント管除染装置のいずれにおいても、複雑な足場を架設する必要がなく、工期の短縮を図ることが可能になる。
【図面の簡単な説明】
【図１】本発明のベント管除染装置の実施の形態の第１の例を示す概念図である。
【図２】図１に関連する支持環などの平面図である。
【図３】図１に関連する支持環と払拭材の締結部分を示す断面図である。
【図４】図１に関連する支持環の締結用具の部分断面図である。
【図５】図１に関連する支持環の蝶番の部分断面図である。
【図６】本発明のベント管除染装置の実施の形態の第２の例を示す概念図である。
【図７】図６に関連する支持環などの平面図である。
【図８】本発明のベント管除染装置の実施の形態の第３の例を示す概念図である。
【図９】図８に関連する支持環のベント管内部へ投入する状態を示す概念図である。
【図１０】本発明の実施の形態の各例に関連するサプレッションチェンバ内の作業状態を示す概念図である。
【図１１】原子炉格納容器の一例を示す概念図である。
【符号の説明】
１０          ベント管
１４          支持環
１５          払拭材
１６          操作棒
２４          支持環
２５          錘
２６          浮体
２７          空気供給源
３３          支持環
３４          払拭材
３５          錘
３６          浮体
【図１】
2004219357.tif 000003
【図２】
2004219357.tif 000004
【図３】
2004219357.tif 000005
【図４】
2004219357.tif 000006
【図５】
2004219357.tif 000007
【図６】
2004219357.tif 000008
【図７】
2004219357.tif 000009
【図８】
2004219357.tif 000010
【図９】
2004219357.tif 000011
【図１０】
2004219357.tif 000012
【図１１】
2004219357.tif 000013